(57)【要約】【課題】子供でもイメージ通りのビーズ織物を容易に作成できるビーズ織物作成装置を提供する。【解決手段】縦糸４３を所定間隔で保持する保持溝１５ａが形成された一対の保持部１５と、前記一対の保持部１５の間に設けられたビーズ配置部１６ａと、を備える。また、前記保持部１５を上下動操作させるための切替部１７を備え、前記切替部１７が操作されて前記保持部１５が上下動することで縦糸４３が上下動する。【選択図】図６
2017057523.tif 000002
【特許請求の範囲】
【請求項１】
ビーズを配置可能な本体と、
前記本体に配置されたビーズの穴に糸を通すための針部材と、
を備え、
前記本体は、縦糸を所定間隔で保持する保持溝が形成された一対の保持部と、前記一対の保持部の間に設けられたビーズ配置部と、前記保持部を上下動操作させるための切替部と、を備え、
前記切替部が操作されて前記保持部が上下動することで縦糸が上下動することを特徴とする、ビーズ織物作成装置。
【請求項２】
前記ビーズ配置部に配置されたビーズを上から押さえつけて浮き上がりを防止するカバー部材を備えることを特徴とする、請求項１記載のビーズ織物作成装置。
【請求項３】
前記ビーズ配置部の下に、ビーズの配置パターンを示すパターンシートを載置可能なパターンシート載置部を備えることを特徴とする、請求項１又は２記載のビーズ織物作成装置。
【請求項４】
縦糸を巻き付けるための巻付部を長手方向の両端部に設けた延長ガイド部材を備え、
前記延長ガイド部材に前記本体を取り付け可能とするとともに、前記延長ガイド部材上での前記本体の取り付け位置を変更可能としたことを特徴とする、請求項１〜３のいずれか１項に記載のビーズ織物作成装置。
【発明の詳細な説明】
【技術分野】
【０００１】
この発明は、手芸用のビーズで織物を作成するためのビーズ織物作成装置に関する。
【背景技術】
【０００２】
従来、手芸用のビーズで織物を作成するために、例えば特許文献１に記載されているような織機が使用されている。
【０００３】
この種の織機でビーズ織物を作成する場合には、まず織機に複数列の縦糸を張る。そして、ビーズに横糸を通し、横糸を通したビーズを下から支えながら縦糸の間に配置する。この状態で、縦糸の上から横糸をビーズに通すことで、縦糸を横糸で上下から挟みこむようにしてビーズを縦糸に取り付ける。このようにビーズを縦糸に取り付ける作業を繰り返し、ビーズ織物を作成する。
【先行技術文献】
【特許文献】
【０００４】
【特許文献１】特開２０００−３５５８４８号公報
【発明の概要】
【発明が解決しようとする課題】
【０００５】
しかし、上記した従来の織機を使用する場合、ビーズを下から支えながら糸を通していくという細かい作業が必要であり、手先が器用でない子供がビーズ織物を作成することは困難であった。また、デザインをイメージしながらビーズを配置していく必要があるため、イメージ通りに作成するにはある程度の経験が必要であった。
そこで、本発明は、子供でもイメージ通りのビーズ織物を容易に作成できるビーズ織物作成装置を提供することを課題とする。
【課題を解決するための手段】
【０００６】
本発明は、上記した課題を解決するためになされたものであり、以下を特徴とする。
【０００７】
請求項１記載の発明は、ビーズを配置可能な本体と、前記本体に配置されたビーズの穴に糸を通すための針部材と、を備え、前記本体は、縦糸を所定間隔で保持する保持溝が形成された一対の保持部と、前記一対の保持部の間に設けられたビーズ配置部と、前記保持部を上下動操作させるための切替部と、を備え、前記切替部が操作されて前記保持部が上下動することで縦糸が上下動することを特徴とする。
【０００８】
請求項２に記載の発明は、上記した請求項１に記載の発明の特徴点に加え、前記ビーズ配置部に配置されたビーズを上から押さえつけて浮き上がりを防止するカバー部材を備えることを特徴とする。
【０００９】
請求項３に記載の発明は、上記した請求項１又は２に記載の発明の特徴点に加え、前記ビーズ配置部の下に、ビーズの配置パターンを示すパターンシートを載置可能なパターンシート載置部を備えることを特徴とする。
【００１０】
請求項４に記載の発明は、上記した請求項１〜３のいずれかに記載の発明の特徴点に加え、縦糸を巻き付けるための巻付部を長手方向の両端部に設けた延長ガイド部材を備え、前記延長ガイド部材に前記本体を取り付け可能とするとともに、前記延長ガイド部材上での前記本体の取り付け位置を変更可能としたことを特徴とする。
【発明の効果】
【００１１】
請求項１に記載の発明は上記の通りであり、縦糸を所定間隔で保持する保持溝が形成された一対の保持部と、前記一対の保持部の間に設けられたビーズ配置部と、を備える。このような構成によれば、ビーズを予めビーズ配置部に配置した上でビーズ織物が作成できるので、全体のデザインを決めてから作業することができる。よって、子供でもイメージ通りのビーズ織物を作成することができる。
【００１２】
また、前記保持部を上下動操作させるための切替部を備え、前記切替部が操作されて前記保持部が上下動することで縦糸が上下動するので、縦糸の上下に横糸を通す作業が容易である。すなわち、縦糸を下動させてからビーズに横糸を通せば、容易に縦糸の上に横糸を通すことができる。また、縦糸を上動させてからビーズに横糸を通せば、容易に縦糸の下に横糸を通すことができる。このため、ビーズを支えて縦糸の上下に横糸を通すという細かな作業が必要ないので、子供であっても容易にビーズ織物を作成することができる。
【００１３】
また、請求項２に記載の発明は上記の通りであり、前記ビーズ配置部に配置されたビーズを上から押さえつけて浮き上がりを防止するカバー部材を備えるので、縦糸が上下動したときにビーズが引っ張られて浮き上がってしまうことがない。また、ビーズに横糸を通すときにビーズがカバー部材で押さえつけられているので、ビーズが移動せず作業性が良い。
【００１４】
また、請求項３に記載の発明は上記の通りであり、前記ビーズ配置部の下に、ビーズの配置パターンを示すパターンシートを載置可能なパターンシート載置部を備えるので、パターンシートに従ってビーズを配置するだけで思い通りのビーズ織物を作成することができる。
【００１５】
また、請求項４に記載の発明は上記の通りであり、縦糸を巻き付けるための巻付部を長手方向の両端部に設けた延長ガイド部材を備え、前記延長ガイド部材に前記本体を取り付け可能とするとともに、前記延長ガイド部材上での前記本体の取り付け位置を変更可能とした。このような構成によれば、本体の取り付け位置を変更することで本体よりも大きなビーズ織物を作成することができる。言い換えると、本体を小さくできるので、ビーズ織物作成装置を低コストで製造することができる。
【図面の簡単な説明】
【００１６】
【図１】（ａ）本体の平面図、（ｂ）本体の斜視図である。
【図２】本体を側面から見た斜視図である。
【図３】シートカバーを開いた状態の本体の斜視図である。
【図４】ビーズ織物作成装置の使用方法を説明する図であって、（ａ）パターンシートを配置した状態の図、（ｂ）縦糸を取り付けた状態の図、（ｂ）ビーズを配置した状態の図である。
【図５】ビーズ織物作成装置の使用方法を説明する図であって、（ａ）カバー部材を取り付けた状態の図、（ｂ）針部材で横糸を通している状態の図である。
【図６】（ａ）縦糸の上に横糸を通している図、（ｂ）縦糸の下に横糸を通している図である。
【図７】（ａ）ビーズ織物の外観図、（ｂ）ブレスレット状としたビーズ織物の外観図である。
【図８】変形例に係る本体を側面から見た斜視図であって、（ａ）押さえ部を開いた状態の図、（ｂ）押さえ部を閉じた状態の図である。
【図９】延長ガイド部材の斜視図である。
【図１０】変形例に係るビーズ織物作成装置の使用方法を説明する図であって、（ａ）半分のビーズに横糸を通した状態の図、（ｂ）本体の取り付け位置を変更中の図である。
【図１１】変形例に係るビーズ織物作成装置の使用方法を説明する図であって、（ａ）本体の取り付け位置を変更した後の図、（ｂ）取り付け位置を変更した本体にビーズを配置した状態の図である。
【図１２】（ａ）横糸が足りなくなった状態の図、（ａ）コネクタを使用して横糸を繋ぐ様子を示す図である。
【発明を実施するための形態】
【００１７】
本発明の実施形態について、図を参照しながら説明する。
【００１８】
本実施形態に係るビーズ織物作成装置は、手芸用のビーズ４０で織物を作成するためのものであり、ビーズ４０を配置可能な本体１０と、本体１０に配置されたビーズ４０の穴に糸を通すための針部材３０と、本体１０に配置されたビーズ４０を上から押さえつけて浮き上がりを防止するカバー部材２０と、を備えている。
【００１９】
本体１０は、上面にビーズ４０を配置可能な台であり、図１〜３に示すように、作業面に接地するベース部１１と、ベース部１１の上面に突出して設けられた一対の保持部１５と、この保持部１５を上下動操作させるための切替部１７と、保持部１５の間に設けられたシートカバー１６と、シートカバー１６の四隅付近に設けられたカバー押さえ部１８と、を備える。
【００２０】
ベース部１１は、長手方向の両端部に巻付部１２を備える。巻付部１２は、縦糸４３を巻き付けて取り付けるための釘頭状の突起である。
【００２１】
また、ベース部１１の上面には、長手方向の両端部付近にガイド部１３が突出して設けられている。このガイド部１３は巻付部１２に巻き付けた縦糸４３をガイドするための板状部であり、一対のガイド部１３が保持部１５の外側に配置されている。このガイド部１３には、所定間隔で上方に開口するガイド溝１３ａが形成されている。
【００２２】
また、ベース部１１は、図３に示すように、ガイド部１３の間（更に言えば保持部１５の間）にパターンシート載置部１４を備える。パターンシート載置部１４は、後述するパターンシート４５を載置可能な平坦面である。このパターンシート載置部１４は、シートカバー１６を開くことで露出し、シートカバー１６を閉じたときにはシートカバー１６に覆われてシートカバー１６の下面に隠れるようになっている。
【００２３】
保持部１５は、ベース部１１の上面から突出した板状部である。この保持部１５は、ベース部１１の上面に開口するスリットから上方に突出して設けられるとともに、ベース部１１の内部で切替部１７と接続されている。この保持部１５は、切替部１７が操作されたときに、ベース部１１の内部に配置された伝達機構（図示せず）によって切替部１７の動きを伝達され、ベース部１１に対して上下に相対移動するようになっている。この保持部１５は、ベース部１１のガイド部１３と平行で、かつ、ガイド部１３よりも内側に、一対で設けられている。この保持部１５には、縦糸４３を所定間隔で保持するための保持溝１５ａが設けられている。保持溝１５ａは、上述したガイド溝１３ａと等間隔で上方に開口している。また、この保持溝１５ａは、図２に示すように、鉤状のフック１５ｂを備えている。フック１５ｂは先端が下方に延出するように形成されており、保持溝１５ａに通した縦糸４３が外れそうになったときにフック１５ｂに引っ掛かるようになっている。このように保持溝１５ａで縦糸４３を保持することにより、保持部１５が上下動したときに保持溝１５ａに通した縦糸４３も一緒に上下動するようになっている。
【００２４】
シートカバー１６は、上記したパターンシート載置部１４の上面を覆うように設けられる板状部材である。このシートカバー１６は、上記した一対の保持部１５の間で回動可能にベース部１１に取り付けられている。このシートカバー１６は、シートカバー１６の一辺に設けられた回動軸部１６ｃを軸に回動する。このシートカバー１６の上面には、ビーズ４０を配置するためのビーズ配置部１６ａが形成されている。ビーズ配置部１６ａの表面には、ビーズ４０の転動を防止するための配置溝１６ｂが形成されている。配置溝１６ｂは、横糸４４を通す方向に沿って延びている。なお、配置溝１６をビーズ４０の大きさで区切り、升目状にしてもよい（図１０、図１１等参照）。
【００２５】
なお、シートカバー１６は、シートカバー１６でパターンシート載置部１４を覆ったときに、パターンシート載置部１４が透けて見える程度に透明に形成されている。このため、シートカバー１６を閉じた状態でも、パターンシート載置部１４に載置したパターンシート４５の柄を目視することができる。
【００２６】
切替部１７は、上記した保持部１５を上下動させるための操作部であり、本実施形態においては、図６に示すような回転式のつまみである。使用者がこの切替部１７を操作することで、図６（ａ）に示すように、保持部１５を下動させたり、図６（ｂ）に示すように、保持部１５を上動させたりすることができる。なお、切替部１７の操作範囲は、切替部１７の側部に設けられた第１規制部１７ａ及び第２規制部１７ｂによって規制されている。具体的には、保持部１５を下動させる場合には、切替部１７が第１規制部１７ａに当接するまで切替部１７を操作し、保持部１５を上動させる場合には、切替部１７が第２規制部１７ｂに当接するまで切替部１７を操作するようになっている。
【００２７】
カバー押さえ部１８は、カバー部材２０が外れないように上から押さえつけるためのものである。このカバー押さえ部１８は、カバー部材２０の四隅を押さえるように４箇所に設けられており、それぞれが回転可能にベース部１１に取り付けられている。このカバー押さえ部１８は、回転軸１８ａを中心に水平方向に回転することで、カバー部材２０の取り外しや取り付けが可能な解放状態（図１参照）と、カバー部材２０を上から押さえ付けた固定状態（図５参照）とを取り得るようになっている。
【００２８】
カバー部材２０は、本体１０のビーズ配置部１６ａの上に配置して使用する板状部材である。このカバー部材２０は、ビーズ配置部１６ａの上にビーズ４０を配置した後に、ビーズ４０の上から載せられ、上記したカバー押さえ部１８で押さえ付けられて使用される。このカバー部材２０がビーズ配置部１６ａに配置されたビーズ４０を上から押さえつけることで、ビーズ４０が固定され、ビーズ４０の浮き上がりが防止される。なお、本実施形態に係るカバー部材２０は、ビーズ４０に針部材３０で横糸４４を通すときに目視で確認できるように透明に形成されている。
【００２９】
針部材３０は、ビーズ４０に横糸４４を通すために使用される。本実施形態に係る針部材３０は、安全性を考えて樹脂などの材料で形成され、先端が鋭利でない形状となっている。
【００３０】
上記したビーズ織物作成装置でビーズ織物４２を作成する手順は以下のとおりである。
【００３１】
まず、図４（ａ）に示すように、シートカバー１６を回動させてパターンシート載置部１４を露出させる。そして、作成したいデザインのパターンシート４５を配置する。パターンシート４５は、ビーズ４０の配置パターンを示すものであり、このパターンシート４５が示す通りにビーズ４０を配置していけば容易にビーズ織物４２が作成できる。なお、パターンシート４５を使用せずにオリジナルのビーズ織物４２を作成する場合にはこの手順は不要である。パターンシート４５を配置したらシートカバー１６を閉じる。
【００３２】
次に、図４（ｂ）に示すように、本体１０に縦糸４３を張る。具体的には、まず一方の巻付部１２に縦糸４３を巻き付ける。そして、巻き付けた縦糸４３を、一対のガイド溝１３ａと一対の保持溝１５ａとに通し、反対側の巻付部１２に巻き付ける。これを繰り返すことで、ビーズ織物４２の幅に合わせて複数列の縦糸４３を平行に張る。
【００３３】
次に、図４（ｃ）に示すように、ビーズ配置部１６ａにビーズ４０を配置する。なお、ビーズ配置部１６ａは、縦方向は配置溝１６ｂによって区切られており、横方向は縦糸４３によって区切られているため、１つ分のビーズ４０ごとに区切られている。また、ビーズ配置部１６ａの裏側に配置されたパターンシート４５は、シートカバー１６を通して透けて見えている。パターンシート４５には、配置溝１６ｂと縦糸４３とによって区切られた区画ごとに、どの色のビーズを配置すればよいかが示されている。このため、パターンシート４５に従って区切られた区画にビーズ４０を配置するだけで、パターンシート４５が示すデザインにビーズ４０を配置できるようになっている。
【００３４】
次に、図５（ａ）に示すように、ビーズ４０の上からカバー部材２０を取り付ける。カバー部材２０をビーズ４０の上に置いたら、カバー押さえ部１８によってカバー部材２０を固定する。
【００３５】
次に、図５（ｂ）に示すように、横糸４４を取り付けた針部材３０をビーズ４０の穴に通す。このとき、それぞれのビーズ４０に両側から横糸４４を通す。そのうちの１回は縦糸４３の上から横糸４４を通す。もう１回は縦糸４３の下からも横糸４４を通す。
【００３６】
縦糸４３の上から横糸４４を通すときには、図６（ａ）に示すように、切替部１７を操作して保持部１５を下動させる。保持部１５が下動すると、縦糸４３の張力によって（または保持部１５のフック１５ｂが引っ張ることによって）、縦糸４３の位置が下に移動する。このとき、縦糸４３はビーズ４０の孔よりも低い位置まで移動する。この状態で針部材３０をビーズ４０の穴に通すと、縦糸４３の上から横糸４４を通すことができる。
【００３７】
一方、縦糸４３の下から横糸４４を通すときには、図６（ｂ）に示すように、切替部１７を操作して保持部１５を上動させる。保持部１５が上動すると、保持溝１５ａによって縦糸４３が持ち上げられ、縦糸４３の位置が上に移動する。このとき、縦糸４３はビーズ４０の孔よりも高い位置まで移動する。この状態で針部材３０をビーズ４０の穴に通すと、縦糸４３の下から横糸４４を通すことができる。
【００３８】
上記した横糸４４を通す作業をビーズ４０の横列ごとに順次行っていき、すべての列に対して横糸４４を通したら、縦糸４３の両端を始末する。これによりビーズ織物４２が作成できる。
【００３９】
なお、本実施形態においては、図７に示すような留具４１を使用して縦糸４３の両端を始末できるようにしている。この留具４１は、ベース片４１aと接合片４１ｃとからなり、ベース片４１aと接合片４１ｃとを重ね合わせて結合することで、縦糸４３の端部を挟み込めるようになっている。このような留具４１を使用すれば、面倒な糸の始末をしなくても簡単にビーズ織物４２が作成できる。
【００４０】
また、ベース片４１aの端部には、他の留具４１に連結するための一対の連結部４１ｂが設けられている。この一対の連結部４１ｂには突起と孔部とが形成され、他の一対の連結部４１ｂに形成された突起及び孔部に嵌合可能となっている。このため、ビーズ織物４２の両端部に留具４１を取り付け、この両端部の留具４１の連結部４１ｂを互いに連結することで、図７（ｂ）に示すように、ブレスレット状のビーズ織物４２を作成することができる。
【００４１】
以上説明したように、本実施形態によれば、縦糸４３を所定間隔で保持する保持溝１５ａが形成された一対の保持部１５と、前記一対の保持部１５の間に設けられたビーズ配置部１６ａと、を備える。このような構成によれば、ビーズ４０を予めビーズ配置部１６ａに配置した上でビーズ織物４２が作成できるので、全体のデザインを決めてから作業することができる。よって、子供でもイメージ通りのビーズ織物４２を作成することができる。
【００４２】
また、前記保持部１５を上下動操作させるための切替部１７を備え、前記切替部１７が操作されて前記保持部１５が上下動することで縦糸４３が上下動するので、縦糸４３の上下に横糸４４を通す作業が容易である。すなわち、縦糸４３を下動させてからビーズ４０に横糸４４を通せば、容易に縦糸４３の上に横糸４４を通すことができる。また、縦糸４３を上動させてからビーズ４０に横糸４４を通せば、容易に縦糸４３の下に横糸４４を通すことができる。このため、ビーズ４０を支えて縦糸４３の上下に横糸４４を通すという細かな作業が必要ないので、子供であっても容易にビーズ織物４２を作成することができる。
【００４３】
また、前記ビーズ配置部１６ａに配置されたビーズ４０を上から押さえつけて浮き上がりを防止するカバー部材２０を備えるので、縦糸４３が上下動したときにビーズ４０が引っ張られて浮き上がってしまうことがない。また、ビーズ４０に横糸４４を通すときにビーズ４０がカバー部材２０で押さえつけられているので、ビーズ４０が移動せず作業性が良い。
【００４４】
また、前記ビーズ配置部１６ａの下に、ビーズ４０の配置パターンを示すパターンシート４５を載置可能なパターンシート載置部１４を備えるので、パターンシート４５に従ってビーズ４０を配置するだけで思い通りのビーズ織物４２を作成することができる。
【００４５】
また、前記保持溝１５ａは鉤状に形成されているので、保持部１５が上下動したときに確実に縦糸４３を上下に移動させることができる。
【００４６】
なお、上記した実施形態においては特に説明していないが、ビーズ配置部１６ａの大きさを可変とすることで、作成できるビーズ織物４２の大きさを自由に設定できるようにしてもよい。なお、ビーズ配置部１６ａの大きさを可変とする方法は種々のものが考えられるが、ベース部１１を伸縮式にしたり、シートカバー１６を着脱式にしたりすることでも実現可能である。
【００４７】
また、様々な大きさのビーズ４０に対応するために、ビーズ配置部１６ａの配置溝１６ｂの幅を変更可能にしてもよい。例えば、配置溝１６ｂの幅が異なる複数種類のシートカバー１６を設け、この複数種類のシートカバー１６から任意のシートカバー１６を選択してベース部１１に着脱できるようにして、ビーズ４０配置溝１６ｂの幅を変更可能としてもよい。
【００４８】
また、上記した実施形態においては、保持溝１５ａを鉤状に形成したが、これに限らず、図８に示すように、保持溝１５ａをストレートな櫛状に形成してもよい。この場合、保持溝１５ａを覆う押さえ部１５ｃを設けてもよい。図８に示す押さえ部１５ｃは、一端部が回動可能に軸支されており、回動することで保持溝１５ａを開閉できるように形成されている。このように押さえ部１５ｃで保持溝１５ａを覆うようにすれば、縦糸４３が保持溝１５ａから外れないため、ガイド部１３を省略することができる。
【００４９】
また、図９に示すような延長ガイド部材２５を使用して、本体１０よりも大きなビーズ織物４２を作成できるようにしてもよい。この延長ガイド部材２５は、縦糸４３を巻き付けるための巻付部２５ａを長手方向の両端部に設けた長尺部材である。この延長ガイド部材２５の上面には、４つのスリットが形成されており、この４つのスリットにより、第１差込部２５ｂ、第２差込部２５ｃ、第３差込部２５ｄ、第４差込部２５ｅが構成されている。これらのスリットは本体１０を取り付けるためのものであり、本実施形態においては、第１差込部２５ｂと第３差込部２５ｄとを使用して本体１０を第１の取り付け位置に取り付けることができる。また、第２差込部２５ｃと第４差込部２５ｅとを使用して本体１０を第２の取り付け位置に取り付けることができる。このように、本体１０の取り付け位置は、延長ガイド部材２５上において、第１の取り付け位置と第２の取り付け位置との２箇所で変更可能となっている。
【００５０】
この延長ガイド部材２５の使用方法は以下のとおりである。
【００５１】
まず、図１０（ａ）に示すように、本体１０を第１の取り付け位置に取り付ける。そして、本体１０のビーズ配置部１６ａにビーズ４０を配置し、横糸４４を通す。
【００５２】
次に、図１０（ｂ）に示すように、移動方向の押さえ部１５ｃを開き、縦糸４３に沿って本体１０の位置をずらす。
【００５３】
そして、図１１（ａ）に示すように、本体１０を第２の取り付け位置に取り付ける。このように取り付け位置を変更した本体１０のビーズ配置部１６ａに、図１１（ｂ）に示すようにビーズ４０を配置して、横糸４４を通す。
【００５４】
このとき、パターンシート４５を交換して、第１の取り付け位置と第２の取り付け位置とで違うパターンを使用するようにしてもよい。例えば、複数のパターンシート４５を使用して連続する大きな模様を形成するようにしてもよい。この場合、シートカバー１６の回動軸を図３に示すように短辺側に設けるのではなく、長辺側に設けるようにすれば、縦糸を張った状態でも横からパターンシート４５の交換ができる。
【００５５】
このように本体１０の取り付け位置をずらせるようにすれば、本体１０よりも大きなビーズ織物４２を作成することができる。
【００５６】
また、上記した実施形態においては特に説明していないが、図１２（ａ）に示すように、横糸４４の長さが足りなくなる場合がある。この場合には、図１２（ｂ）に示すようなコネクタ４６を使用してもよい。このコネクタ４６は、樹脂などの弾性変形可能な材料で形成されており、ビーズ４０の孔に圧入できるようになっている。このコネクタ４６を、横糸４４を挟み込んだ状態でビーズ４０の孔に圧入すれば、横糸４４をビーズ４０に固定することができる。このようなコネクタ４６を使用すれば、横糸４４を結んで繋ぐといった煩雑な作業をしなくても、容易に横糸４４を繋ぐことができる。
【符号の説明】
【００５７】
１０  本体
１１  ベース部
１２  巻付部
１３  ガイド部
１３ａ  ガイド溝
１４  パターンシート載置部
１５  保持部
１５ａ  保持溝
１５ｂ  フック
１５ｃ  押さえ部
１６  シートカバー
１６ａ  ビーズ配置部
１６ｂ  配置溝
１６ｃ  回動軸部
１７  切替部
１７ａ  第１規制部
１７ｂ  第２規制部
１８  カバー押さえ部
１８ａ  回転軸
２０  カバー部材
２５  延長ガイド部材
２５ａ  巻付部
２５ｂ  第１差込部
２５ｃ  第２差込部
２５ｄ  第３差込部
２５ｅ  第４差込部
３０  針部材
４０  ビーズ
４１  留具
４１ａ  ベース片
４１ｂ  連結部
４１ｃ  接合片
４２  ビーズ織物
４３  縦糸
４４  横糸
４５  パターンシート
４６  コネクタ
【図１】
2017057523.tif 000003
【図２】
2017057523.tif 000004
【図３】
2017057523.tif 000005
【図４】
2017057523.tif 000006
【図５】
2017057523.tif 000007
【図６】
2017057523.tif 000008
【図７】
2017057523.tif 000009
【図８】
2017057523.tif 000010
【図９】
2017057523.tif 000011
【図１０】
2017057523.tif 000012
【図１１】
2017057523.tif 000013
【図１２】
2017057523.tif 000014